(57)【特許請求の範囲】
【請求項１】
会議室及び居室に設置された機器を制御する機器制御システムであって、
会議室の予約情報を取得する予約情報取得手段と、
会議室及び居室における利用者のＩＤ並びに前記利用者の入退室及び在室状況を含む入退室情報を取得する入退室情報取得手段と、
前記予約情報及び前記入退室情報に基づいて、会議室及び居室に設置された機器のオン／オフを制御する制御手段と、を備え、
前記居室は、１人又は複数の利用者のグループ毎に複数のエリアが設定され、前記複数のエリア毎に前記機器を制御可能に構成されており、
前記制御手段は、前記居室において、前記複数のエリアのうち少なくとも１人の利用者がいるエリアの機器をオンとし、利用者がいないエリアの機器をオフとすることを特徴とする機器制御システム。
【請求項２】
前記制御手段は、前記予約情報が示す会議室の使用時間中であっても、当該会議室に利用者がいない場合には、会議室の機器をオフにすることを特徴とする請求項１に記載の機器制御システム。
【請求項３】
前記制御手段は、前記予約情報が示す会議室の使用時間中に、会議室から居室に戻った利用者がいる場合には、居室内の少なくとも当該利用者に関する機器をオンにすることを特徴とする請求項１又は２に記載の機器制御システム。
【請求項４】
前記制御手段は、前記予約情報が示す会議室の使用開始時刻が経過しても、居室に利用者がいる場合には、居室の該利用者に関する機器をオフにしないことを特徴とする請求項１乃至３のいずれか一項に記載の機器制御システム。
【請求項５】
会議室及び居室に設置された機器を制御する機器制御システムにより実行される機器制御プログラムであって、
会議室の予約情報を取得する予約情報取得手段、
会議室及び居室における利用者のＩＤ並びに前記利用者の入退室及び在室状況を含む入退室情報を取得する入退室情報取得手段、
前記予約情報及び前記入退室情報に基づいて、会議室及び居室に設置された機器のオン／オフを制御する制御手段、として前記機器制御システムを機能させ、
前記居室は、１人又は複数の利用者のグループ毎に複数のエリアが設定され、前記複数のエリア毎に前記機器を制御可能に構成されており、
前記制御手段は、前記居室において、前記複数のエリアのうち少なくとも１人の利用者がいるエリアの機器をオンとし、利用者がいないエリアの機器をオフとすることを特徴とする機器制御プログラム。
【請求項６】
設備制御システムであって、
会議室及び居室における利用者の入退室を管理する入退室管理システムと、
会議室及び居室に設置された機器を制御する機器制御システムと、
会議室の予約状況及び実際の使用状況を管理する会議室予約管理システムと、を備え、
前記機器制御システムは、
前記会議室予約管理システムから、会議室の予約情報を取得する予約情報取得手段と、
前記入退室管理システムから、会議室及び居室における利用者のＩＤ並びに前記利用者の入退室及び在室状況を含む入退室情報を取得する入退室情報取得手段と、
前記予約情報及び前記入退室情報に基づいて、会議室及び居室に設置された機器のオン／オフを制御する制御手段と、を備え、
前記居室は、１人又は複数の利用者のグループ毎に複数のエリアが設定され、前記複数のエリア毎に前記機器を制御可能に構成されており、
前記制御手段は、前記居室において、前記複数のエリアのうち少なくとも１人の利用者がいるエリアの機器をオンとし、利用者がいないエリアの機器をオフとすることを特徴とする設備制御システム。
【発明の詳細な説明】
【技術分野】
【０００１】
本発明は、会議室及び居室に設置された機器の制御に関する。
【背景技術】
【０００２】
会議室などの空間に設置された空調、照明などの機器を自動的にオン／オフ制御するシステムが知られている。例えば、特許文献１は、会議室予約システムと連動して、会議室の予約スケジュールに基づいて空調を制御するとともに、会議開始時間になると、会議室利用者が居た居室用空調機も合わせて制御することを記載している。
【先行技術文献】
【特許文献】
【０００３】
【特許文献１】特許第４２７４１５７号公報
【発明の概要】
【発明が解決しようとする課題】
【０００４】
特許文献１は、会議室利用者が予定通り会議室に向かうことを前提に会議室利用者の居室の空調をオフにしているが、会議室利用者の一人が会議に遅れて居室で引き続き業務を行わなければならないような場合でも、居室の空調がオフになってしまう。また、会議が終わった後に会議室利用者が居室に戻らずに別の場所に移動することは想定されていないため、会議が終わった後に誰も居室に戻らなかった場合には、会議室利用者の居室の空調が無駄にオンになってしまう。
【０００５】
本発明は、会議室の予約スケジュールのみならず、実際の利用者の入退室状況を考慮して、効率的な機器の制御を行うことが可能な機器制御システムを提供することを目的とする。
【課題を解決するための手段】
【０００６】
本発明の１つの観点では、会議室及び居室に設置された機器を制御する機器制御システムは、会議室の予約情報を取得する予約情報取得手段と、会議室及び居室における利用者のＩＤ並びに前記利用者の入退室及び在室状況を含む入退室情報を取得する入退室情報取得手段と、前記予約情報及び前記入退室情報に基づいて、会議室及び居室に設置された機器のオン／オフを制御する制御手段と、を備え、前記居室は、１人又は複数の利用者のグループ毎に複数のエリアが設定され、前記複数のエリア毎に前記機器を制御可能に構成されており、前記制御手段は、前記居室において、前記複数のエリアのうち少なくとも１人の利用者がいるエリアの機器をオンとし、利用者がいないエリアの機器をオフとする。
【０００７】
上記の機器制御システムは、例えば会議室や居室に設置された空調機器、照明機器、電子機器などのオン／オフを制御する。機器制御システムは、会議室の予約情報を取得するとともに、会議室及び居室における入退室情報を取得する。予約情報は、会議室の使用開始時間、使用終了時間などを含む。入退室情報は、会議室及び居室にいる利用者のＩＤなどを含む。制御手段は、予約情報と、入退室情報に基づいて、会議室及び居室に設置された機器のオン／オフを制御する。これにより、予約情報が示す会議のスケジュールに変更などがあった場合でも、無駄な電力消費を抑え、かつ、必要な作業に支障が生じないようにすることができる。また、居室においては、利用者のＩＤに基づいて、複数のエリア毎に機器のオン／オフを制御することができる。
【０００８】
上記の機器制御システムの一態様では、前記制御手段は、前記予約情報が示す会議室の使用時間中であっても、当該会議室に利用者がいない場合には、会議室の機器をオフにする。この態様では、会議が予定の終了時刻よりも早く終わったような場合に会議室の機器がオフになるので、無駄な電力消費を防止することができる。
【０００９】
上記の機器制御システムの他の一態様では、前記制御手段は、前記予約情報が示す会議室の使用時間中に、会議室から居室に戻った利用者がいる場合には、居室内の少なくとも当該利用者に関する機器をオンにする。この態様では、会議中に何らかの理由で利用者が居室に戻った際に居室の機器がオンになるので、その利用者は居室にて必要な作業を支障なく行うことができる。
【００１０】
上記の機器制御システムの他の一態様では、前記制御手段は、前記予約情報が示す会議室の使用開始時刻が経過しても、居室に利用者がいる場合には、居室の該利用者に関する機器をオフにしない。この態様では、利用者が居室での作業を済ませてから会議に遅刻して参加するような場合でも、居室での作業を支障なく行うことができる。
【００１１】
本発明の他の観点では、会議室及び居室に設置された機器を制御する機器制御システムにより実行される機器制御プログラムは、会議室の予約情報を取得する予約情報取得手段、会議室及び居室における利用者のＩＤ並びに前記利用者の入退室及び在室状況を含む入退室情報を取得する入退室情報取得手段、前記予約情報及び前記入退室情報に基づいて、会議室及び居室に設置された機器のオン／オフを制御する制御手段、として前記機器制御システムを機能させ、前記居室は、１人又は複数の利用者のグループ毎に複数のエリアが設定され、前記複数のエリア毎に前記機器を制御可能に構成されており、前記制御手段は、前記居室において、前記複数のエリアのうち少なくとも１人の利用者がいるエリアの機器をオンとし、利用者がいないエリアの機器をオフとする。このプログラムをコンピュータで実行することにより、上記の機器制御システムを実現することができる。 
【００１２】
本発明の他の観点では、設備制御システムは、会議室及び居室における利用者の入退室を管理する入退室管理システムと、会議室及び居室に設置された機器を制御する機器制御システムと、会議室の予約状況及び実際の使用状況を管理する会議室予約管理システムと、を備え、前記機器制御システムは、前記会議室予約管理システムから、会議室の予約情報を取得する予約情報取得手段と、前記入退室管理システムから、会議室及び居室における利用者のＩＤ並びに前記利用者の入退室及び在室状況を含む入退室情報を取得する入退室情報取得手段と、前記予約情報及び前記入退室情報に基づいて、会議室及び居室に設置された機器のオン／オフを制御する制御手段と、を備え、前記居室は、１人又は複数の利用者のグループ毎に複数のエリアが設定され、前記複数のエリア毎に前記機器を制御可能に構成されており、前記制御手段は、前記居室において、前記複数のエリアのうち少なくとも１人の利用者がいるエリアの機器をオンとし、利用者がいないエリアの機器をオフとする。
【００１３】
上記の設備制御システムでは、上記の機器制御システムは、例えば会議室や居室に設置された空調機器、照明機器、電子機器などのオン／オフを制御する。機器制御システムは、会議室予約管理システムから会議室の予約情報を取得するとともに、入退室管理システムから会議室及び居室における入退室情報を取得する。予約情報は、会議室の使用開始時間、使用終了時間などを含む。入退室情報は、会議室及び居室にいる利用者のＩＤなどを含む。制御手段は、予約情報と、入退室情報に基づいて、会議室及び居室に設置された機器のオン／オフを制御する。これにより、予約情報が示す会議のスケジュールに変更などがあった場合でも、無駄な電力消費を抑え、かつ、必要な作業に支障が生じないようにすることができる。また、居室においては、利用者のＩＤに基づいて、複数のエリア毎に機器のオン／オフを制御することができる。
【発明の効果】
【００１４】
本発明によれば、会議の予定が直前で変更になり、予約スケジュール通りに会議が行われない場合であっても、会議室及び居室の機器を効率的に管理することが可能となる。
【図面の簡単な説明】
【００１５】
【図１】実施形態に係る設備制御システムのブロック図である。
【図２】入退室情報における在室状況の例を示す。
【図３】会議室予約管理システムが所持する管理情報の例を示す。
【図４】機器制御処理のフローチャートである。
【図５】機器制御処理のフローチャートである。
【発明を実施するための形態】
【００１６】
以下、図面を参照しながら、本発明の実施の形態について説明する。
【００１７】
［構成］
図１は、本発明の実施形態に係る建物内設備制御システムの構成を示す。建物内設備制御システム（以下、「設備制御システム」と呼ぶ。）は、会議室１と、居室２と、入退室管理システム３と、機器制御システム４と、会議室予約管理システム５とを備える。なお、以下に述べる実施形態では、建物内に３つの会議室Ａ〜Ｃと１つの居室とが存在するが、説明の便宜上、設備制御システムは１つの会議室と１つの居室に設置された機器を制御するものとする。
【００１８】
会議室１は、複数の利用者による会議で使用される部屋であり、空調機器、照明機器
電子機器などの機器が設置されている。会議室１の入口の扉付近には、ＩＣカードリーダ／ライタ（以下、「ＩＣカードＲ／Ｗ」と記す。）１１が設けられている。ＩＣカードＲ／Ｗ１１は、利用者が所持するＩＣカードから利用者ＩＤなどを読み取り、入退室管理システム３へ送信する。
【００１９】
居室２は、複数の利用者がそれぞれ個別に通常業務を行う部屋であり、例えば利用者毎に机又はスペースなどが設けられている。居室２内にも空調、照明などの機器が設置されている。なお、居室２内では、複数の機器が利用者毎又は数名のグループ毎にオン／オフ制御できるように構成されているものとする。例えば、１人の利用者又は数名の利用者のグループ毎に複数のエリアが設定され、エリア毎に空調、照明などがオン／オフされるように構成される。よって、居室２内に席を有する利用者全員が居室２に在室しているときには全ての機器がオンされるが、数名の利用者のみが在室しているときには、在室している利用者の属するエリアの機器のみがオンされる。
【００２０】
居室２の入口の扉付近には、ＩＣカードＲ／Ｗ２１が設けられている。ＩＣカードＲ／Ｗ２１は、利用者が所持するＩＣカードから利用者ＩＤなどを読み取り、入退室管理システム３へ送信する。
【００２１】
入退室管理システム３は、会議室１に設けられたＩＣカードＲ／Ｗ１１及び居室２に設けられたＩＣカードＲ／Ｗ２１からの信号に基づいて、会議室１及び居室２における利用者の入退室状況、在室状況などを管理する。利用者の入退室状況、在室状況を示す情報を「入退室情報」と呼ぶ。入退室情報は入退室データベース（ＤＢ）３１に保存されている。
【００２２】
具体的に、入退室ＤＢ３１は、入退室情報として入退室状況と在室状況とを記憶している。入退室状況は、各部屋に入室／退室した利用者のＩＤ、入室／退室時刻などを示す。在室状況は、各部屋に現在在室している利用者のＩＤを示す。在室状況の例を図２に示す。
【００２３】
会議室予約管理システム５は、会議室の予約を管理している。具体的には、会議室予約管理システム５は、会議室の予約状況と、実際の使用状況とを把握している。会議室予約管理システム５が所持している管理情報を図３に模式的に示す。予約状況は、会議室毎に、その会議室の使用開始時間、使用終了時間、予定されている利用者のＩＤなどを示している。また、現在状況は、各会議室を実際に使用している利用者のＩＤを示している。会議室予約管理システム５は、入退室管理システム３から各会議室の入退室情報を定期的に取得し、それに基づいて、現在状況を更新する。
【００２４】
機器制御システム４は、会議室１及び居室２に設置された機器、具体的には、空調機器、照明機器、電子機器（パソコン、プリンタなど）、その部屋の主電源など（以下、これらを単に「機器」と呼ぶ。）のオン／オフを制御する。具体的には、機器制御システム４は、会議室予約管理システム５から会議室の予約情報を取得するとともに、入退室管理システム３から会議室１及び居室２の入退室情報を取得し、会議室の予約情報と入退室情報に基づいて、会議室１及び居室２に設置された機器のオン／オフを制御する。
【００２５】
［機器制御処理］
次に、機器制御システム４により実行される機器制御処理について詳しく説明する。機器制御処理とは、機器制御システム４が、会議室の予約情報と、会議室１及び居室２の入退室情報とに基づいて、会議室１及び居室２に設置された機器をオン／オフ制御するものである。図４及び図５は、機器制御処理のフローチャートである。この処理は、主として機器制御システム４のコンピュータが、予め用意されたプログラムを実行することにより実現される。なお、前提として、会議室を利用する予定の利用者が居室２にいるものとする。
【００２６】
まず、機器制御システム４は、会議室予約システム５から会議室の予約情報を取得し（ステップＳ１１）、予約情報において会議室１の使用開始時間の所定時間（Ｘ分）前になったか否かを判定する（ステップＳ１２）。使用開始時間の所定時間前になっていない場合（ステップＳ１２；Ｎｏ）、機器制御システム４は、所定時間前になるまで待機する。一方、所定時間前になった場合（ステップＳ１２；Ｙｅｓ）、機器制御システム４は、会議室１の機器をオンにする（ステップＳ１３）。なお、会議室の使用開始時間より前に機器をオンするのは、予め空調などを作動させて使用環境を整えるためである。
【００２７】
次に、機器制御システム４は、所定時間（Ｙ分）経過するのを待ち（ステップＳ１４）、入退室管理システム３から入退室情報を取得する（ステップＳ１５）。この入退室情報には、前述のように、会議室１及び居室２への利用者の入退室状況及び在室状況が含まれている。次に、機器制御システム４は、取得した入退室情報に基づいて、会議室１を利用する予定の利用者全員が居室２を退室したか否かを判定する（ステップＳ１６）。利用者全員が居室２を退室した場合（ステップＳ１６；Ｙｅｓ）、居室２には誰もいないので、機器制御システム４は、居室３の機器をオフにする（ステップＳ１７）。一方、会議室利用者全員が居室２を退室していない場合（ステップＳ１６；Ｎｏ）、機器制御システム４はステップＳ１８へ進む。
【００２８】
次に、機器制御システム４は、入退室情報に基づいて、会議室１に誰もいないか否かを判定する（ステップＳ１８）。会議室１に誰もいない場合（ステップＳ１８；Ｙｅｓ）、機器制御システム４は、会議室１の機器をオフにし（ステップＳ１９）、処理を終了する。これは、会議室予約管理システム５の予約情報は更新されていないが、会議が急に中止になったような場合に相当する。
【００２９】
一方、会議室に誰かがいる場合（ステップＳ１８；Ｎｏ）、機器制御システム４は、入退室管理システム３から入退室情報を取得し（ステップＳ２０）、取得した入退室情報に基づいて、会議室１から利用者全員が退室したか否かを判定する（ステップＳ２１）。会議室から利用者全員が退室している場合（ステップＳ２１；Ｙｅｓ）、機器制御システム４はステップＳ２６へ進む。これは、会議が予定よりも早く終了した場合に相当する。
【００３０】
一方、会議室から利用者全員が退室していない場合（ステップＳ２１；Ｎｏ）、機器制御システム４は、入退室情報に基づいて、会議室１から居室２に戻った人がいるかどうかを判定する（ステップＳ２２）。居室２に戻った人がいる場合（ステップＳ２２；Ｙｅｓ）、機器制御システム４は、居室に戻った人に関する機器をオンにする（ステップＳ２３）。なお、前述のように、居室２内の空調機器、照明機器などは、利用者毎又は何人かのグループ毎に個別にオン／オフできるようになっているので、ここでは、居室２に戻った人に関係する機器のみがオンされる。これにより、会議中に急用、忘れ物などで居室２に戻った人がいる場合に、その人が居室２で支障なく作業などをすることができる。一方、居室２に戻った人がいない場合（ステップＳ２２；Ｎｏ）、機器制御システム４はステップＳ２４へ進む。
【００３１】
次に、機器制御システム４は、会議室予約管理システム５から会議室の予約情報を取得し（ステップＳ２４）、会議室の使用終了時刻になったか否かを判定する（ステップＳ２５）。会議室の使用終了時刻になっていない場合（ステップＳ２５；Ｎｏ）、機器制御システム４は、ステップＳ２１へ戻り、ステップＳ２１〜Ｓ２５を繰り返す。一方、会議室の使用終了時刻になった場合（ステップＳ２５；Ｙｅｓ）、機器制御システム４はステップＳ２６へ進む。
【００３２】
こうして、会議が予定より早く終了するか（ステップＳ２１；Ｙｅｓ）、予定の終了時刻になった（ステップＳ２５；Ｙｅｓ）場合、機器制御システム４は、会議室１の機器をオフにする（ステップＳ２６）。よって、会議が予定より早く終了して、会議室１に誰もいなくなった場合には、予定の終了時刻前であっても会議室１の機器がオフされるので、無駄な電力消費などを抑えることができる。
【００３３】
次に、機器制御システム４は、入退室管理システム３から入退室情報を取得し（ステップＳ２７）、居室２に戻った人がいるか否かを判定する（ステップＳ２８）。居室に戻った人がいない場合（ステップＳ２８；Ｎｏ）、機器制御システム４はステップＳ２７へ戻る。一方、居室２に戻った人がいる場合（ステップＳ２８；Ｙｅｓ）、機器制御システム４は、居室に戻った人に関する機器をオンにする（ステップＳ２９）。
【００３４】
次に、機器制御システム４は、利用者全員が居室２に戻ったか否かを判定する（ステップＳ３０）。全員が居室２に戻っていない場合（ステップＳ３０；Ｎｏ）、機器制御システム４はステップＳ２７へ戻る。一方、全員が居室２に戻った場合（ステップＳ３０；Ｙｅｓ）、機器制御システム４は処理を終了する。
【００３５】
以上のように、本実施形態では、機器制御システム４は、会議室の予約情報のみならず、会議室及び居室における利用者の実際の入退室・在室状況を考慮して、会議室及び居室に設置された機器のオン／オフを制御する。
【００３６】
具体的には、機器制御システム４は、予約情報が示す会議室の使用時間中であっても、実際に会議室に利用者がいない場合には、会議室の機器をオフにする。よって、会議が予定より早く終わったような場合に、無駄な電力使用を防止することができる。
【００３７】
また、機器制御システム４は、予約情報が示す会議室の使用時間中に会議室から居室に戻った利用者がいる場合には、居室内の少なくとも当該利用者に関する機器をオンにする。さらに、機器制御システム４は、予約情報が示す会議室の使用開始時刻が経過しても、会議室を予約している利用者が居室にいる場合には、居室のその利用者に関する機器をオフにしない。よって、予定された会議の時間中であっても、会議室を予約している利用者が何らかの理由で居室にいる場合には、その利用者に関する機器を使用可能とすることにより、必要な作業ができないなどの不都合を防止する。
【００３８】
［変形例］
上記の例では、居室２内の空調・照明機器などは利用者毎又は数名のグループ毎にオン／オフ制御できるように構成されているが、利用者毎又は数名のグループ毎に別々の居室が複数用意されている場合には、機器制御システム４は、その居室単位で機器のオン／オフを行えばよい。一方、居室２に設定された機器に対する一体的なオン／オフ制御しかできない場合には、機器制御システム４は、居室２全体としてオン／オフ制御を行えばよい。
【００３９】
また、居室２に設定された空調機器が一体的なオン／オフ制御しかできない場合、機器制御システム４は、居室２内の人数を把握し、例えば居室２内の人数が増えるに従い、空調機器を強めに制御し、居室２内の人数が減るに従って空調機器を弱めるように制御してもよい。
【００４０】
上記の機器制御処理においては、例えばステップＳ１６、Ｓ１８、Ｓ２１などにおいて、機器制御システム４は、会議室１や居室２に誰もいないことを入退室情報に基づいて判定している。その代わりに、会議室１や居室２に人感センサを設け、人感センサが所定時間にわたって人を検知しない場合に、会議室１や居室２に誰もいないと判断することとしてもよい。さらには、入退室情報と人感センサの検知とを併用し、それら両方が人の不在を示している場合に、誰もいないと判断することとしてもよい。
【符号の説明】
【００４１】
１  会議室
２  居室
３  入退室管理システム
４  機器制御システム
５  会議室予約管理システム
１１、１２  ＩＣカードリーダライタ
３１  入退室データベース
【図１】
0005924068.tif 000002
【図２】
0005924068.tif 000003
【図３】
0005924068.tif 000004
【図４】
0005924068.tif 000005
【図５】
0005924068.tif 000006